【手続補正書】
【提出日】平成29年10月5日(2017.10.5)
【手続補正１】
【補正対象書類名】特許請求の範囲
【補正対象項目名】全文
【補正方法】変更
【補正の内容】
【特許請求の範囲】
【請求項１】
記録材に画像を形成する画像形成部と、
前記画像形成部により画像が形成された記録材を排出する排出部と、を備え、
記録材に後処理を行う後処理装置が接続される場合に前記排出部から排出される記録材を前記後処理装置へ搬送するための中継搬送部を前記排出部に隣接する空間に装着され、前記中継搬送部には前記中継搬送部に電力を供給する電源が設けられ、前記電源の発熱が前記画像形成部の温度に関与する画像形成装置であって、
温度を検知する検知手段と、
前記画像形成部を冷却するための第一の冷却手段と、
前記中継搬送部が装着されている場合に、前記画像形成部により記録材に画像を形成している第一の状態の後の記録材に画像を形成する動作の開始を待機している第二の状態では、前記検知手段により検知した温度に応じて、前記第一の冷却手段の回転又は停止を制御する制御手段と、
を備えることを特徴とする画像形成装置。
【請求項２】
前記制御手段は、前記中継搬送部が装着されていない場合に、前記第二の状態では、前記検知手段により検知される温度にかかわらず前記第一の冷却手段に対して同一の制御を行うことを特徴とする請求項１に記載の画像形成装置。
【請求項３】
前記検知手段は、前記画像形成装置が使用されている環境の温度を検知することを特徴とする請求項１又は２に記載の画像形成装置。
【請求項４】
前記検知手段は、前記画像形成装置の内部で前記画像形成部の近傍の温度を検知することを特徴とする請求項１又は２に記載の画像形成装置。
【請求項５】
前記中継搬送部は、前記電源を冷却する第二の冷却手段を有することを特徴とする請求項１乃至４のいずれか１項に記載の画像形成装置。
【請求項６】
前記制御手段は、前記中継搬送部が装着されている場合、前記第二の状態では、前記検知手段により検知した温度が第一の温度以下であれば、前記第一の冷却手段の回転を停止させることを特徴とする請求項５に記載の画像形成装置。
【請求項７】
前記画像形成部を駆動する駆動手段を冷却する第三の冷却手段を備え、
前記制御手段は、前記中継搬送部が装着されている場合、前記第二の状態では、前記検知手段により検知した温度が前記第一の温度以下であれば、前記第二の冷却手段及び前記第三の冷却手段の回転を停止させることを特徴とする請求項６に記載の画像形成装置。
【請求項８】
前記制御手段は、前記中継搬送部が装着されている場合、前記第二の状態では、前記検知手段により検知した温度が前記第一の温度よりも高く第二の温度以下であれば、前記第一の冷却手段を第一の速度で回転させる動作と前記第一の冷却手段の回転を停止させる動作を繰り返すことを特徴とする請求項６に記載の画像形成装置。
【請求項９】
前記画像形成部を駆動する駆動手段を冷却する第三の冷却手段を備え、
前記制御手段は、前記中継搬送部が装着されている場合、前記第二の状態では、前記検知手段により検知した温度が前記第一の温度よりも高く前記第二の温度以下であれば、前記第二の冷却手段及び前記第三の冷却手段の回転を停止させることを特徴とする請求項８に記載の画像形成装置。
【請求項１０】
前記制御手段は、前記中継搬送部が装着されている場合、前記第二の状態では、前記検知手段により検知した温度が前記第二の温度よりも高く第三の温度以下であれば、前記第一の冷却手段を前記第一の速度で回転させることを特徴とする請求項８に記載の画像形成装置。
【請求項１１】
前記画像形成部を駆動する駆動手段を冷却する第三の冷却手段を備え、
前記制御手段は、前記中継搬送部が装着されている場合、前記第二の状態では、前記検知手段により検知した温度が前記第二の温度よりも高く前記第三の温度よりも低い第四の温度以下であれば、前記第二の冷却手段及び前記第三の冷却手段の回転を停止させることを特徴とする請求項１０に記載の画像形成装置。
【請求項１２】
前記制御手段は、前記中継搬送部が装着されている場合、前記第二の状態では、前記検知手段により検知した温度が前記第四の温度よりも高く前記第三の温度よりも低い第五の温度以下であれば、前記第二の冷却手段を前記第一の速度で回転させ、前記第三の冷却手段の回転を停止させることを特徴とする請求項１１に記載の画像形成装置。
【請求項１３】
前記制御手段は、前記中継搬送部が装着されている場合、前記第二の状態では、前記検知手段により検知した温度が前記第五の温度よりも高く前記第三の温度以下であれば、前記第二の冷却手段及び前記第三の冷却手段を前記第一の速度で回転させることを特徴とする請求項１２に記載の画像形成装置。
【請求項１４】
前記画像形成部を駆動する駆動手段を冷却する第三の冷却手段を備え、
前記制御手段は、前記中継搬送部が装着されている場合、前記第二の状態では、前記検知手段により検知した温度が前記第三の温度よりも高ければ、前記第一の冷却手段、前記第二の冷却手段及び前記第三の冷却手段を前記第一の速度よりも速い第二の速度で回転させることを特徴とする請求項１０に記載の画像形成装置。
【請求項１５】
前記画像形成部を駆動する駆動手段を冷却する第三の冷却手段を備え、
前記制御手段は、前記中継搬送部が装着されている場合、前記第一の状態では、前記第一の冷却手段、前記第二の冷却手段及び前記第三の冷却手段を第一の速度よりも速い第二の速度で回転させることを特徴とする請求項５に記載の画像形成装置。
【請求項１６】
前記画像形成部を駆動する駆動手段を冷却する第三の冷却手段を備え、
前記制御手段は、前記中継搬送部が装着されていない場合、前記第二の状態では、前記第一の冷却手段及び前記第三の冷却手段の回転を停止させることを特徴とする請求項１又は２に記載の画像形成装置。
【請求項１７】
前記画像形成部を駆動する駆動手段を冷却する第三の冷却手段を備え、
前記制御手段は、前記中継搬送部が装着されていない場合、前記第一の状態では、前記第一の冷却手段及び前記第三の冷却手段を第一の速度よりも速い第二の速度で回転させることを特徴とする請求項１又は２に記載の画像形成装置。
【請求項１８】
原稿の画像を読み取る読取部を有し、前記中継搬送部は前記読取部と前記画像形成部との間に形成される空間に装着されることを特徴とする請求項１乃至１７のいずれか１項に記載の画像形成装置。
【請求項１９】
記録材に画像を形成する画像形成部と、
前記画像形成部により画像が形成された記録材を排出する排出部と、
記録材に後処理を行う後処理装置と、
前記排出部に隣接する空間に、記録材に後処理を行う前記後処理装置へ前記排出部から排出される記録材を搬送するための中継搬送部と、を備え、
前記中継搬送部には前記中継搬送部に電力を供給する電源が設けられ、前記電源の発熱が前記画像形成部の温度に関与する画像形成装置であって、
前記画像形成部を冷却するための第一の冷却手段と、
前記画像形成部により記録材に画像を形成している第一の状態で前記後処理装置を使用していた場合には、前記第一の状態の後の記録材に画像を形成する動作の開始を待機している第二の状態では前記第一の冷却手段を回転させ、前記第一の状態で前記後処理装置を使用していなかった場合には、前記第二の状態では前記第一の冷却手段を停止させるように制御する制御手段と、
を備えることを特徴とする画像形成装置。
【請求項２０】
前記制御手段は、前記第二の状態において前記第一の冷却手段を前記第一の状態における速度よりも遅い速度で回転させることを特徴とする請求項１９に記載の画像形成装置。 
【請求項２１】
前記後処理装置は、前記電源から電力供給を受けて後処理のための負荷を駆動する駆動部を有し、
前記制御手段は、前記第二の状態において、前記電源による前記駆動部への電力供給を停止することを特徴とする請求項１乃至２０のいずれか１項に記載の画像形成装置。
【請求項２２】
記録材に画像を形成する画像形成部と、前記画像形成部により画像が形成された記録材が排出される排出部と、を有する画像形成装置と、
前記排出部から排出された記録材に後処理を行う後処理装置と、
前記排出部に隣接する空間に装着され、前記排出部から排出された記録材を前記後処理装置に搬送する中継搬送部と、
前記中継搬送部に設けられ、前記中継搬送部に電力を供給する電源と、
を備え、前記電源の発熱が前記画像形成部の温度に関与する画像形成システムであって、
温度を検知する検知手段と、
前記画像形成部を冷却するための第一の冷却手段と、
前記画像形成部により記録材に画像を形成している第一の状態の後の記録材に画像を形成する動作の開始を待機している第二の状態では、前記検知手段により検知した温度に応じて、前記第一の冷却手段の回転又は停止を制御する制御手段と、
を備えることを特徴とする画像形成システム。
【請求項２３】
記録材に画像を形成する画像形成部と、前記画像形成部により画像が形成された記録材が排出される排出部と、を有する画像形成装置と、
前記排出部から排出された記録材に後処理を行う後処理装置と、
前記排出部に隣接する空間に装着され、前記排出部から排出された記録材を前記後処理装置に搬送する中継搬送部と、
前記中継搬送部に設けられ、前記中継搬送部に電力を供給する電源と、
を備え、前記電源の発熱が前記画像形成部の温度に関与する画像形成システムであって、
前記画像形成部を冷却するための第一の冷却手段と、
前記画像形成部により記録材に画像を形成している第一の状態で前記後処理装置を使用していた場合には、前記第一の状態の後の記録材に画像を形成する動作の開始を待機している第二の状態では前記第一の冷却手段を回転させ、前記第一の状態で前記後処理装置を使用していなかった場合には、前記第二の状態では前記第一の冷却手段を停止させるように制御する制御手段と、
を備えることを特徴とする画像形成システム。
【手続補正２】
【補正対象書類名】明細書
【補正対象項目名】０００７
【補正方法】変更
【補正の内容】
【０００７】
（１）記録材に画像を形成する画像形成部と、前記画像形成部により画像が形成された記録材を排出する排出部と、を備え、記録材に後処理を行う後処理装置が接続される場合に前記排出部から排出される記録材を前記後処理装置へ搬送するための中継搬送部を前記排出部に隣接する空間に装着され、前記中継搬送部には前記中継搬送部に電力を供給する電源が設けられ、前記電源の発熱が前記画像形成部の温度に関与する画像形成装置であって、温度を検知する検知手段と、前記画像形成部を冷却するための第一の冷却手段と、前記中継搬送部が装着されている場合に、前記画像形成部により記録材に画像を形成している第一の状態の後の記録材に画像を形成する動作の開始を待機している第二の状態では、前記検知手段により検知した温度に応じて、前記第一の冷却手段の回転又は停止を制御する制御手段と、を備えることを特徴とする画像形成装置。
（２）記録材に画像を形成する画像形成部と、前記画像形成部により画像が形成された記録材を排出する排出部と、記録材に後処理を行う後処理装置と、前記排出部に隣接する空間に、記録材に後処理を行う前記後処理装置へ前記排出部から排出される記録材を搬送するための中継搬送部と、を備え、前記中継搬送部には前記中継搬送部に電力を供給する電源が設けられ、前記電源の発熱が前記画像形成部の温度に関与する画像形成装置であって、前記画像形成部を冷却するための第一の冷却手段と、前記画像形成部により記録材に画像を形成している第一の状態で前記後処理装置を使用していた場合には、前記第一の状態の後の記録材に画像を形成する動作の開始を待機している第二の状態では前記第一の冷却手段を回転させ、前記第一の状態で前記後処理装置を使用していなかった場合には、前記第二の状態では前記第一の冷却手段を停止させるように制御する制御手段と、を備えることを特徴とする画像形成装置。
（３）記録材に画像を形成する画像形成部と、前記画像形成部により画像が形成された記録材が排出される排出部と、を有する画像形成装置と、前記排出部から排出された記録材に後処理を行う後処理装置と、前記排出部に隣接する空間に装着され、前記排出部から排出された記録材を前記後処理装置に搬送する中継搬送部と、前記中継搬送部に設けられ、前記中継搬送部に電力を供給する電源と、を備え、前記電源の発熱が前記画像形成部の温度に関与する画像形成システムであって、温度を検知する検知手段と、前記画像形成部を冷却するための第一の冷却手段と、前記画像形成部により記録材に画像を形成している第一の状態の後の記録材に画像を形成する動作の開始を待機している第二の状態では、前記検知手段により検知した温度に応じて、前記第一の冷却手段の回転又は停止を制御する制御手段と、を備えることを特徴とする画像形成システム。
（４）記録材に画像を形成する画像形成部と、前記画像形成部により画像が形成された記録材が排出される排出部と、を有する画像形成装置と、前記排出部から排出された記録材に後処理を行う後処理装置と、前記排出部に隣接する空間に装着され、前記排出部から排出された記録材を前記後処理装置に搬送する中継搬送部と、前記中継搬送部に設けられ、前記中継搬送部に電力を供給する電源と、を備え、前記電源の発熱が前記画像形成部の温度に関与する画像形成システムであって、前記画像形成部を冷却するための第一の冷却手段と、前記画像形成部により記録材に画像を形成している第一の状態で前記後処理装置を使用していた場合には、前記第一の状態の後の記録材に画像を形成する動作の開始を待機している第二の状態では前記第一の冷却手段を回転させ、前記第一の状態で前記後処理装置を使用していなかった場合には、前記第二の状態では前記第一の冷却手段を停止させるように制御する制御手段と、を備えることを特徴とする画像形成システム。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】